(57)【要約】【課題】  ＬＥＤを用いた垂直または水平式ブラインド型の表示装置に関する。【解決手段】  建物の窓などに設けられているブラインド型の羽根に停止映像や動映像のディスプレイができるように複数の発光モジュールが結合される水平または垂直模様のバー（ｂａｒ）形態のモジュールを連続的に構成して電光板のような表示装置を構成することによって、従来の窓ブラインド機能である室内の遮光または採光調節は勿論、建物の内壁、ガラス窓の壁面、または外壁面を最大限活用して企業イメージなどの広告効果をさらに極大化することができる、ＬＥＤを用いたブラインド型の表示装置を提供する。【選択図】図１
2006184561.tif 000002
【特許請求の範囲】
【請求項１】
ＬＥＤを用いたブラインド型の表示装置を構成するためのフレーム部と、
室内の遮光や採光及び室内から室外を眺められるように前記フレーム部に所定の間隔を置いて多段で配列される蓋型状の羽根部と、
印刷回路基板にモジュール単位として、ＲＧＢの発光ダイオードで配列されて停止映像や動映像を表示できるように前記蓋型状の羽根部に収納される発光モジュール部と、
前記発光モジュール部により表示される停止映像や動映像の発光パターンを制御する発光パターン制御部と、
前記発光モジュール部と発光パターン制御部とを連結するケーブルと、
で構成することを特徴とするＬＥＤ使用のブラインド型表示装置。
【請求項２】
前記フレーム部は、
発光モジュール部が収納された蓋型状の羽根部を水平や垂直に多段で配列させるように固定された大きさのフレーム枠の形象で構成することを特徴とする請求項１に記載のＬＥＤ使用のブラインド型表示装置。
【請求項３】
前記フレーム枠には、
蓋型状の羽根部を水平状態に多段で配列させながら蓋型状の羽根部の上下角度調節範囲を供給できるように左右の内側面に所定の傾斜角度を維持しながら所定の間隔を置いて多段で配列される第１の羽根支持部を形成することを特徴とする請求項２に記載のＬＥＤ使用のブラインド型表示装置。
【請求項４】
前記フレーム枠には、
蓋型状の羽根部が垂直状態に多段で配列させながら蓋型状の羽根部の左右角度調節範囲を供給できるように上下の内側面に所定の間隔を置いて多段で配列される第２の羽根支持部を形成することを特徴とする請求項２に記載のＬＥＤ使用のブラインド型表示装置。
【請求項５】
前記フレーム部は、
発光モジュール部が収納された蓋型状の羽根部を水平や垂直に多段で配列させる窓枠の固定型部材で構成することを特徴とする請求項１に記載のＬＥＤ使用のブラインド型表示装置。
【請求項６】
前記窓枠の固定型部材は、
窓枠の縁部に位置する窓枠に固定される固定棒と、
該固定棒に両端が固定されて蓋型状の羽根部を垂直や水平状態に多段で配列するように所定の傾斜角度を維持しながら所定の間隔を置いて多段で配列される第３の羽根支持部を形成する第１のブラケットと、
該第１のブラケットとマッチングされて多段で積層された蓋型状の羽根部の離脱を防げるように所定の傾斜角度を維持しながら所定の間隔を置いて多段で配列される第４の羽根支持部を形成した離脱防止用の第２のブラケットと、
で構成することを特徴とする請求項５に記載のＬＥＤ使用のブラインド型表示装置。
【請求項７】
前記固定棒には掛け穴を形成し、第１のブラケットには該掛け穴に掛けることができるフ字の模様の掛け突起を形成することを特徴とする請求項６に記載のＬＥＤ使用のブラインド型表示装置。
【請求項８】
前記固定棒と第１のブラケットは、
接着剤による接着方式でその結合が行われることを特徴とする請求項６に記載のＬＥＤ使用のブラインド型表示装置。
【請求項９】
前記固定棒と第１のブラケットには、ネジ締結でその結合が行われるようにそれぞれのネジ締結穴を形成することを特徴とする請求項６に記載のＬＥＤ使用のブラインド型表示装置。
【請求項１０】
前記窓枠の固定型部材には、
第３、４の羽根支持部によって蓋型状の羽根部を多段で積層させる第１、２のブラケットの外部露出を防ぎ、発光モジュール部に電源を供給するケーブルを収納させる蓋案内部材と該蓋案内部材にはめ込み方式で結合される網型（＃）の蓋部材を結合構成することを特徴とする請求項５に記載のＬＥＤ使用のブラインド型表示装置。
【請求項１１】
前記蓋案内部材は、
コ字の第１のホームを有しながら窓の各角部に位置する窓枠に固定される十字型（＋）の第１の案内部と、
該第１の案内部を連結しながら該第１の案内部のコ字の第１のホームよりも小さい幅のコ字の第２のホームを有しながら第２のブラケット上に密着して固定される一字型の第２の案内部と、
で構成することを特徴とする請求項１０に記載のＬＥＤ使用のブラインド型表示装置。
【請求項１２】
前記第２のブラケットと第２の案内部は、
ネジ締結や接着剤の中から何れか一つによってその結合が行われることを特徴とする請求項１１に記載のＬＥＤ使用のブラインド型表示装置。
【請求項１３】
前記蓋型状の羽根部は、
所定の角度の曲面部を有するケースと、
前記ケースの内側面に形成されて発光モジュール部の結合ができるように案内するレールと、
前記ケースの一端に長く延長されて発光モジュール部の発光による光を全方に広く拡散させる拡散窓と、
で構成することが特徴とする請求項１に記載のＬＥＤ使用のブラインド型表示装置。
【請求項１４】
前記発光モジュール部は、
ＡＣ用電源コネクタ、ＤＣ用電源コネクタ、ＡＣ／ＤＣ兼用の電源コネクタ、整流回路、点灯制御用ＩＣ及び発光パターンのデータ入出力ポートが適用された印刷回路基板と、
該印刷回路基板に接続して配列される複数のＬＥＤと、
で構成することを特徴とする請求項１に記載のＬＥＤ使用のブラインド型表示装置。
【請求項１５】
前記発光モジュール部は、
印刷回路基板の一側の縁面に所定の間隔を置いて配列される複数の第１の接続端子帯と、
該印刷回路基板に脱付着ができるように結合されるパネル部と、
該パネル部の一面に形成される複数のＬＥＤと、
該パネル部の他面に形成されながら複数のＬＥＤと接続させ、前記ＬＥＤの点灯制御のため電源及び制御信号を入力できるように前記第１の接続端子帯に接続される第２接続端子帯と、
で構成することを特徴とする請求項１に記載のＬＥＤ使用のブラインド型表示装置。
【発明の詳細な説明】
【技術分野】
【０００１】
本発明は、ＬＥＤを用いたブラインド型の表示装置に関するもので、より詳しく説明すると、建物の窓などに設けられているブラインド型の羽根に停止映像や動映像をディスプレイする発光モジュールを設けて従来の窓のブラインド機能である遮光または採光調節は勿論、企業イメージなどの広告効果を同時に創出することができる、ＬＥＤを用いたブラインド型の表示装置（Ｂｌｉｎｄ  Ｔｙｐｅ  Ｄｉｓｐｌａｙ  Ｄｅｖｉｃｅ  ｏｆ  ｕｓｉｎｇ  Ｌｉｇｈｔ  Ｅｍｉｔｔｉｎｇ  Ｄｉｏｄｅ）に関する。
【背景技術】
【０００２】
周知のように従来の窓のブラインドは、建物の窓に設けられて室内に日の光が入ってくるのを遮断したり、または室内に一定量の日の光が入ってくるように採光と同時に室内から外を眺められるように角度の調節ができるように設けられている。
【０００３】
しかしながら、従来の手動や電動方式のブラインドは、すべてが一つの目的、すなわち室内の採光を調節する機能だけに局限されており、よって従来のものは建物の窓を活用した広告を創出することができなかった。
【０００４】
すなわち、建物の場合、その外壁は窓になっているものが殆どであり、従来はこのような窓を活用して広告をするのではなく、屋上に電光板を設けたり、またはブラケットによって建物の一側部に広告版を設ける場合と、必要な場合は大型プランカードを設ける場合がしばしばあった。
【０００５】
しかしながら、上述のような広告は、建物の全体の壁面を活用することができないので、広告に対する認知度が低くなるばかりであった。
【０００６】
すなわち、建物の外壁は、道路辺や向い合う建物にいる人に最もよく見られる位置であるが、従来はそのような外壁にこれといった広告装置を備えることができなかった。
【０００７】
その代わりに、従来は建物の屋上に大型の電光板を設けて広告に対する認知度を高めるようにしたが、その設置と伴う構造物の工事及び安全診断のような施設工事が必要であったり、設置スペース及び維持管理のために相当な費用が所要とされるなど様々な制約が伴う。
【発明の開示】
【発明が解決しようとする課題】
【０００８】
本発明は、上述のような従来の問題点を解決するために案出されたもので、建物の窓などに設けられるブラインド型の羽根を停止映像や動映像のディスプレイができるように複数のバー（ｂａｒ）形態のＬＥＤ発光モジュールが結合された表示装置で電光板を構成し、その電光板を調整して従来のブラインドのように室内の遮光または採光は勿論、室内から外を眺められるように調節すると共に、建物の壁面を最大限に活用して企業イメージなどの広告効果をより極大化できるようにするＬＥＤを用いたブラインド型の表示装置を提供するのにその目的がある。
【０００９】
これにより、本発明は既存の鉄筋及び鉄骨構造による建築施設工法ではない高級インテリア感覚を生かした組立の施設技術を導入することができ、ＬＥＤを用いた垂直及び水平式のブラインド型の表示装置を構成することにおける費用及び時間の節減と表出面の美しさと表示装置の外見上の美麗さを追求する技術的課題を達成することである。
【００１０】
本発明の他の目的は、ブラインド型を有する複数の羽根を垂直、または水平に所定の間隔を置いて配列して構成するが、前記の羽根は固定用のフレームの加工されたホームにより上下の角度が調節できるようにすることによって、昼間はブラインドのように室内の遮光及び採光は勿論のことで、室内から外を眺めるようにする機能を行い、夜間は電光板のような機能として、その用度が選択的に行われるようにすることである。
【００１１】
本発明におけるもう一つの他の目的は、建物のガラス窓のような透明な壁面、または外部の壁面に設置するのが容易であり、組立式の形態で設計された羽根模様やバー（Ｂａｒ）模様のＬＥＤモジュールを上下と共に、左右に連続に配置しながら連結して好みの大きさに表示画面を構成できるようにすることである。
【００１２】
本発明におけるもう一つの他の目的は、ＬＥＤモジュールを建物の内壁に設けるのに適したフレームを供給することによって、羽根模様のＬＥＤモジュールをできるだけ簡単に設計し、維持補修に時間と費用が節減できるようにすることである。
【課題を解決するための手段】
【００１３】
上記目的を達成するために本発明のＬＥＤを用いたブラインド型の表示装置は、ＬＥＤを用いたブラインド型の表示装置を構成するためのフレーム部と、室内の遮光や採光及び室内から室外を眺められるように前記フレーム部に所定の間隔を置き多段で配列される蓋型状の羽根部と、印刷回路基板にモジュール単位で赤色（Ｒ）、緑色（Ｇ）及び青色（Ｂ）の発光ダイオードで配列されて停止映像や動映像を表示するように前記蓋型状の羽根部に収納される発光モジュール部と、前記発光モジュール部によって表示される停止映像や動映像の発光パターンを制御する発光パターン制御部と、前記発光モジュール部と発光パターン制御部とを連結するケーブルと、で構成することを特徴とする。
【００１４】
また、前記フレーム部は、発光モジュール部が収納された蓋型状の羽根部を水平及び垂直に多段で配列させるように固定されたサイズのフレーム枠の形状で構成することを特徴とする。
【００１５】
また、前記フレーム枠には、蓋型状の羽根部を水平状態に多段で配列させながら蓋型状の羽根部の上下角度調節範囲が供給できるように左右の内側面に所定の傾斜角度を維持しながら所定の間隔を置いて、多段で配列される第１の羽根支持部を形成することを特徴とする。
【００１６】
また、前記フレーム枠には、蓋型状の羽根部が垂直状態に多段で配列させながら蓋型状の羽根部の左右角度調節範囲が供給できるように上下の内側面に所定の間隔を置いて、多段で配列される第２の羽根支持部を形成することを特徴とする。
【００１７】
また、前記フレーム部は、発光モジュール部が収納された蓋型状の羽根部を水平や垂直に多段で配列させる窓枠の固定型部材で構成することを特徴とする。
【００１８】
また、前記窓枠の固定型部材は、窓の角の部分に位置する窓枠に固定される固定棒と、該固定棒に両端が固定されて蓋型状の羽根部を垂直や水平状態に多段で配列するように所定の傾斜角度を維持しながら所定の間隔を置いて、多段で配列される第３の羽根支持部を形成させた第１のブラケットと、該第１ブラケットとマッチングされて多段で積層された蓋型状の羽根部の離脱を防ぐように所定の傾斜角度を維持しながら所定の間隔を置いて、多段で配列される第４の羽根支持部を形成させた離脱防止用の第２のブラケットと、で構成することを特徴とする。
【００１９】
また、前記固定棒には掛け穴を形成し、第１のブラケットには該掛け穴に掛けられるフ字模様の掛け突起を形成することを特徴とする。
【００２０】
また、前記固定棒と第１ブラケットは、接着剤による接着方式でその結合が成り立つことを特徴とする。
【００２１】
また、前記固定棒と第１ブラケットには、ネジの締結でその結合が成り立つようにそれぞれネジ締結穴を形成することを特徴とする。
【００２２】
また、前記窓の枠固定型部材には、第３、４の羽根支持部によって蓋型状の羽根部を多段で積層させた第１、２のブラケットの外部露出を防ぎ発光モジュール部に電源を供給するケーブルを収納させる蓋案内部材と、該蓋案内部材にはめ込み方式で結合される網型（＃）の蓋部材を結合構成することを特徴とする。
【００２３】
また、前記蓋案内部材は、コ字の第１ホームを有しながら窓の各角の部位に位置する、窓枠に固定される十字型（＋）の第１の案内部と、該第１の案内部を連結しながら該第１の案内部のコ字の第１のホームよりも小さい幅のコ字の第２のホームを有しながら第２のブラケットの上に密着して固定される一字型の第２の案内部で構成することを特徴とする。
【００２４】
また、前記第２のブラケットと第２の案内部は、ネジ締結や接着剤の中からどれか一つによってその結合が成り立つことを特徴とする。
【００２５】
また、前記蓋型状の羽根部は、所定の角度の曲面部を有するケースと、該ケースの内側面に形成されて発光モジュール部の結合が可能であるように案内するレール部と、該ケースの一端から長さの延長が行い発光モジュール部の発光による光を前方に広く拡散させる拡散窓で構成することを特徴とする。
【００２６】
また、前記発光モジュール部は、ＡＣ用の電源コネクタ、ＤＣ用の電源コネクタ、ＡＣ／ＤＣの兼用の電源コネクタ、整流回路、点灯制御用のＩＣ、及び発光パターンのデータ入出力ポートが適用された印刷回路基板と、該印刷回路基板に接続して配列される複数のＬＥＤで成り立つことを特徴とする。
【００２７】
また、前記発光モジュール部は、印刷回路基板の一側の縁面に所定の間隔を置いて配列される複数の第１の接続端子帯と、該印刷回路基板に脱付着が可能に結合されるパネル部と、該パネル部の一面に形成される複数のＬＥＤと、該パネル部の他面に形成されながら複数のＬＥＤと接続させ、該ＬＥＤの点灯制御のための電源及び制御信号を入力できるように前記第１の接続端子帯に接続される第２の接続端子帯で構成することを特徴とする。
【発明の効果】
【００２８】
以上で説明したように本発明ＬＥＤ使用の表示装置であるブラインド型表示装置は、建物の窓等に設置されるブラインド型の羽根を停止映像や動映像のディスプレイができるように複数の発光モジュールが結合される電光板で構成し、建物の壁面を最大に活用して企業イメージ等の広告効果をより極大化させられる効果だけではなく、羽根の調整によって遮光または採光と共に、室内から外を眺められるように従来窓ブラインドの機能を有する効果を提供する。
【００２９】
また、本発明ＬＥＤ使用のブラインド型表示装置に適用される発光モジュール部のＬＥＤピックセル構造は複数のＬＥＤがモジュール単位で構成されたＬＥＤモジュールを構成した後、そのＬＥＤが印刷回路基板から自由に脱付着されるように構成し、ＬＥＤピックセル構造が電光板のような表示装置に適用された状態でＬＥＤモジュールの部分的な破損や交換が必要な場合にその交換作業をより容易にできることは勿論、ＬＥＤピックセルの構造変更が自由にできるなど、その維持補修の効率性を向上させられる効果を提供する。
【発明を実施するための最良の形態】
【００３０】
以下、添付された図面を参照して本発明の好ましい第１の実施形態を説明する。
【００３１】
図１は、本発明の第１の実施形態においてＬＥＤを用いた表示装置としてブラインド型電光板の構造を示す全体斜視図であり、図２は本発明の第１の実施形態に係る図１のＡ−Ａ線の断面図である。
【００３２】
図３は、本発明の第１の実施形態に係る蓋型状の羽根部の構造を示す斜視図であり、図４は本発明の第１の実施形態に係る蓋型状の羽根部の側断面図である。
【００３３】
図５は、本発明の第１の実施形態に係る発光モジュールが蓋型状の羽根部に収納された状態を示す部分切開斜視図であり、図６は本発明の第１の実施形態に係る図５の正面図である。
【００３４】
図７は、本発明の第１の実施形態に係る発光モジュール部が収納された蓋型状の羽根部の多段連結状態図であり、図８は本発明の第１実施形態に係るＬＥＤを用いた表示装置としてブラインド型電光板がオン動作する状態図であり、図９は本発明の第１の実施形態に係るＬＥＤを用いた表示装置としてブラインド型電光板がオフ動作する状態図である。
【００３５】
図１及び図２のように、ＬＥＤを用いたブラインド型の表示装置は固定された大きさのフレーム枠１０、蓋型状の羽根部２０、発光モジュール部３０、発光パターン制御部４０は勿論、前記発光モジュール部３０と発光パターン制御部４０とを連結するケーブル５０の結合構造で構成される。
【００３６】
前記フレーム枠１０は、発光モジュール部３０が収納された蓋型状の羽根部２０を水平や垂直に多段で配列させるように固定された大きさ及び形状で構成される。
【００３７】
前記フレーム枠１０には、図２のように蓋型状の羽根部２０が水平状態に多段で配列されるように両側面に所定の傾斜角度を維持しながら所定の間隔を置いて多段で配列される第１の羽根支持部１１を左右の内側面に形成したり、または図には示してないが蓋型状の羽根部２０が垂直状態に多段で配列されるように所定の間隔を置いて多段で配列される第２の羽根支持部を上下の内側面に形成した。
【００３８】
図３及び図４のように、前記蓋型状の羽根部２０は、フレーム枠１０に所定の間隔を置いて多段で配列されるように構成されて電光板の機能を行い、このとき、多段で配列された蓋型状の羽根部２０の間に形成された間隔によって室内の遮光や採光が行われると共に、室内から室外を眺められることができる。
【００３９】
このために、前記蓋型状の羽根部２０は、ケース２１、レール部２２、及び蓋窓２３で構成され、前記ケース２１は所定の角度の曲面部を有する形状で構成される。
【００４０】
前記レール部２２は、発光モジュール部３０がスライド方式で結合されるように案内する構造であり、これはケース２１の内側面上下に突出形態で形成される。
【００４１】
前記蓋窓２３は、ケース２１内に収納された発光モジュール部３０が発光動作をする時、その発光される光を前方に拡散させる役割で、これはケース２１の一端から長さが延長され形成された構造である。
【００４２】
図５ないし図７のように、前記発光モジュール部３０は、蓋型状の羽根部２０のレール部２２によってスライド方式で収納される構造で、印刷回路基板３１と複数のＬＥＤ３２を含む。
【００４３】
該印刷回路基板３１には、図に示されてないが、ＡＣ用の電源コネクタ、ＤＣ用の電源コネクタ、ＡＣ／ＤＣの兼用の電源コネクタ、整流回路、点灯制御用のＩＣ、及び発光パターンのデータ入出力ポートが適用される。
【００４４】
前記ＬＥＤ３２は、前記印刷回路基板３１にＲＧＢの発光ダイオードがモジュール単位で配列された状態で接続されて停止映像や動映像を表示する構造で、そのモジュール単位は、ＲＧＢの発光ダイオードを一列で配列した方式、ＲＧＢの発光ダイオードを三角模様で配列した方式、ＲＧＢの発光ダイオードを四角模様で配列した方式で分けることができ、必ずしもこのようなモジュール単位に局限するのではない。
【００４５】
前記発光パターン制御部４０は、図１、２のように、モジュール単位で構成されたＬＥＤ３２の発光パターンを制御するようにケーブル５０を介して発光モジュール部３０の印刷回路基板３１と接続され、これは印刷回路基板３１に形成された点灯制御用ＩＣ及び発光パターンのデータ入出力ポートを介して複数からなるＬＥＤ３２の発光パターンに該当する制御信号を出力するようにした。
【００４６】
このように構成された本発明のＬＥＤを用いたブランド型の表示装置の作用に対して添付された図１ないし図９を参照しながら次のように説明する。
【００４７】
まず、固定された大きさと形状を有したフレーム枠１０によって建物の窓に固定した状態で、発光パターン制御部４０を介して発光パターン制御信号を入力する。
【００４８】
すると、前記の発光パターン制御信号は、ケーブル５０によって発光モジュール部３０に含まれた印刷回路基板３１の点灯制御用ＩＣで入力されることになり、該点灯制御用ＩＣは印刷回路基板３１にモジュール単位で接続された複数のＬＥＤ３２を点灯し制御する。
【００４９】
このとき、該ＬＥＤ３２は、フレーム枠１０に多段で積層して配列された蓋型状の羽根部２０にそれぞれ構成されていて、該ＬＥＤ３２の発光パターンから建物の窓に設けられたブラインド型の表示装置では、図９のように建物の外部の人々に停止映像または動映像をディスプレイさせて見せることができるのである。
【００５０】
すなわち、前記蓋型状の羽根部２０に収納された発光モジュール部３０は、一つの電光機能を実行し、上述のように電光機能を実行する発光モジュール部３０が蓋型状の羽根部２０によってフレーム枠１０で多段で積層されているので、前記積層されたすべての発光モジュール部３０が決められた発光パターンによって発光動作をする場合、建物の窓を見る人々は広告や企業広報用の停止映像または動映像を観賞できるのである。
【００５１】
この時、上述のように蓋型状の羽根部２０によって多段で配列される発光モジュール３０の発光が行われる時、前記発光による光はケース２１から長く伸ばされた拡散窓２３により直進性を有するようになり、前記ＬＥＤを用いたブラインド型の表示装置の停止映像または動映像表示はより鮮明に表現されるようになる。
【００５２】
ここで、前記発光パターン制御部４０は、発光モジュール部３０の点灯と消灯を制御する通常の制御モジュールを搭載しており、このような発光パターン制御部４０は、窓ごとに設けられたＬＥＤ使用の表示装置であるブラインド型電光板を個別的に制御するように１：１で設けられるか、または建物内のすべてのＬＥＤを使用する装置であるブラインド型電光板をネットワークにより遠隔制御する方式として、一つだけを設けられることもできる。
【００５３】
そして、今までＬＥＤ使用の表示装置であるブラインド型の表示装置において、蓋型状の羽根部２０を水平に配列した場合を説明したが、ＬＥＤ使用の表示装置のブランド型の羽根を垂直で配列する場合にも同様にその適用が可能であり、これに対する説明は省略することにする。
【００５４】
一方、上述のようなＬＥＤを使用するブラインド型の表示装置は、主に夜間や建物の外部が暗い場合にその効果が極大化される装置であり、建物の外部が明るい昼間の場合は、また違った機能、すなわち、室内の遮光及び採光と共に、室内で外を眺めることができる役割も遂行する。
【００５５】
すなわち、前記フレーム枠１０には、発光モジュール部３０が収納された蓋型状の羽根部２０を多段で配列し、前記それぞれの蓋型状の羽根部２０は所定の間隔を置いてその配列が行われるようにしてあり、図９のように発光モジュール部３０の動作がオフされた場合は、建物内の人々は蓋型状の羽根部２０の間に形成された隙間により建物の外部の風景を眺めることができ、同時にフレーム枠１０に設けられた窓を開けた場合は風が建物の外部から室内に自然に入ってくることができる。
【００５６】
また、所定の間隔を置いて多段で積層して配列された蓋型状の羽根部２０の間に形成された隙間により室内の遮光や採光も同時に満足させることができる。
【００５７】
一方、本発明の他の実施形態として図には示してないが、ＬＥＤ使用の表示装置であるブラインド型電光板において、発光モジュール部３０を収納する蓋型状の羽根部２０を固定型であるフレーム枠１０に固定させた後、これを窓に適用することに関して説明したが、該蓋型状の羽根部２０を流動させられる構造としての設計も可能である。
【００５８】
すなわち、多段の蓋型状の羽根部２０を水平または垂直に多段で配列した後、これを支持紐で連結し、前記蓋型状の羽根部２０の角度及び高さと左右展開の長さの調節は、角度調節棒と長さ調節紐により調節することができ、前記支持紐では多段で配列された蓋型状の羽根部２０の高さや左右展開の長さを自由に調節することができる。
【００５９】
そして、前記角度調節棒と長さ調節紐により蓋型状の羽根部２０の上下、または左右の角度と展開の長さを自由に調節することによって、室内への日光が流入できるようにすることは勿論、室内から外部の風景を眺められるだけでなく、室内への日光の流入を遮断することもできる。
【００６０】
このとき、上述の他の実施形態を適用するためには図に示してないが、ＬＥＤ使用の表示装置であるブラインド型電光板に適用される角度調節棒により駆動する手段として、ウォームギアとウォームホイール及び回転軸が含まれなければならないし、このような駆動手段は通常の構造であるためにその説明を省略する。
【００６１】
同様に、前記ＬＥＤ使用の表示装置であるブラインド型電光板には、図に示してないが、長さ調節紐によって駆動する手段として、２段リール及びストッパを含んでおり、このような駆動手段は通常の構造であるためにその説明を省略する。
【００６２】
また、本発明の他の実施形態では、手動方式によって角度及び高さが調節されるＬＥＤ使用の表示装置であるブラインド型電光板について説明したが、各構成要素の結合構造は、電動式ブラインド型の電光板形態としてもその適用が可能である。
【００６３】
一方、図１０ないし図１５は、また他の形態の発光モジュール部を示した本発明の第２の実施形態であり、図１０はＬＥＤモジュール構造の斜視図、図１１はＬＥＤモジュール構造の背面図、図１２は複数のＬＥＤピクセル構造が一つの印刷回路基板に結合された状態を示したＬＥＤピクセル構造図、図１３は図１２の平面図、図１４は図１２の側面図、そして図１５は発光モジュール部が収納された蓋型状の羽根部の側断面図を示したものである。
【００６４】
すなわち、本発明の第２の実施形態は、ＡＣ用電源コネクタ、ＤＣ用電源コネクタ、ＡＣ／ＤＣ兼用の電源コネクタ、整流回路、点灯制御用ＩＣ及び発光パターンのデータ入出力ポートが適用された印刷回路基板３１に本発明の第１の実施形態とは、また違った形態の発光モジュール部３０を複数接続させた構造で、前記印刷回路基板３１の一側の縁面には、所定の間隔を置いて複数の第１の接続端子帯１０１を配列し、前記発光モジュール部３０は印刷回路基板３１に脱付着できるように、パネル部１０２と、該パネル部１０２の一面に形成される複数のＬＥＤ３２と、該パネル部１０２の他面に形成され複数のＬＥＤ３２と接続させ、ＬＥＤ３２を点灯制御するための電源及び制御信号が入力できるように、前記第１の接続端子帯１０１で脱付着が自由な第２接続端子帯１０３との結合構造で形成したものである。
【００６５】
すなわち、本発明の第２実施形態では、ＡＣ用電源コネクタ、ＤＣ用電源コネクタ、ＡＣ／ＤＣ兼用の電源コネクタ、整流回路、点灯制御用ＩＣ及び発光パターンのデータ入出力ポートを適用させた印刷回路基板３１の一側の縁面に所定の間隔を置いて複数の第１の接続端子帯１０１を形成した後、該第１の接続端子帯１０１に発光モジュール部３０の第２の接続端子帯１０３を接続させる。
【００６６】
すると、前記印刷回路基板３１に形成されたＡＣ用電源コネクタ、ＤＣ用電源コネクタ、ＡＣ／ＤＣ兼用の電源コネクタと共に、整流回路及び点灯制御用ＩＣと発光パターンのデータ入出力ポートは、第１、２の接続端子帯１０１、１０３によってＬＥＤ３２と回路的な接続状態を維持するようになる。
【００６７】
このとき、上述のように印刷回路基板３１と直交するように結合された発光モジュール部３０は、蓋型状の羽根部２０としてその結合が可能になる。
【００６８】
すなわち、前記蓋型状の羽根部２０に形成されたレール部２２に発光モジュール部３０のパネル部１０２を締結してスライド流動させると、該パネル部１０２と共に、該パネル部１０２と直交された印刷回路基板３１は、蓋型状の羽根部２０のケース２１内でその収納が可能となる。
【００６９】
このように本発明の第２の実施形態は、印刷回路基板３１に接続された何れか一つの発光モジュール部３０で点灯状態が不良であり交換する必要がある場合、前記不良が発生した発光モジュール部３０だけを印刷回路基板３１からすぐ分離し、新しい発光モジュール部を取り替えるなど、その維持補修にも相当なメリットを提供するという特徴がある。
【００７０】
一方、図１６ないし図２０は、ＬＥＤ使用のブラインド型表示装置のまた違った形態についての本発明の第３の実施形態で、図１６は発光モジュール部が収納された蓋型状の羽根部を窓に固定する構造の分解斜視図であり、図１７は発光モジュール部が収納された蓋型状の羽根部を窓に固定する構造の結合斜視図である。図１８は発光モジュールが収納された蓋型状の羽根部を窓に固定する構造の側面図であり、図１９は固定棒と第１のブラケットがネジ締結方式で結合された状態図であり、そして図２０は固定棒と第１のブラケットが掛け方式で結合された状態図を示したものである。
【００７１】
すなわち、本発明の第３の実施形態は、フレーム部を発光モジュール部３０が収納された蓋型状の羽根部２０を水平や垂直に多段で配列させる窓枠の固定型部材で構成したもので、これは建物内の調節やカラー映像の表現ができるように発光モジュール部３０が収納された蓋型状の羽根部２０を窓枠１によって固定された窓２に結合させた構造を示している。
【００７２】
図１６でのように窓枠１によって分割設置される窓２には、それぞれ蓋型状の羽根部２０を多段で積層させ、一つの電光板が造られるように窓枠の固定型部材２００を固定し、前記窓枠の固定型部材２００の上には、窓枠１に固定された窓枠の固定型部材２００の外部露出を防ぐことと共に、蓋型状の羽根部２０に収納された発光モジュール部３０に電源供給のためのケーブル収納ができるように蓋案内部材２１０を結合し、該蓋案内部材２１０にははめ込み方式で網型（＃）の蓋部材２２０が結合されるように構成したものである。
【００７３】
このとき、前記窓枠の固定型部材２００は、図１６ないし図１８のように、窓２の角の部位に位置する窓枠１にそれぞれ固定される固定棒２０１、二つの固定棒２０１に上下面が結合され、複数の蓋型状の羽根部２０を多段で積層配列するように多段の第３の羽根支持部２０２が配列された第１のブラケット２０３及び、該第１のブラケット２０３に多段で積層された蓋型状の羽根部２０の離脱を防ぐように多段の第４の羽根支持部２０４を有しながら前記第１のブラケット２０３にはめ込み方式で結合される第２のブラケット２０５で構成される。
【００７４】
このとき、図１９のように前記固定棒２０１と第１のブラケット２０３は、その結合がネジ締結方式でなるように、前記固定棒２０１と第１のブラケット２０３にはそれぞれネジ締結穴２０６を形成する。
【００７５】
また、図２０のように前記固定棒２０１と第１のブラケット２０３は、その結合が掛け方式になるように、前記固定棒２０１には掛け穴２０７を形成し、前記第１のブラケット２０３にはフ字模様の掛け突起２０８を形成する。
【００７６】
また、図に示してないが、前記固定棒２０１と第１のブラケット２０３は、その結合が接着剤により成り立つようにすることもできる。
【００７７】
また、図１６のように前記蓋案内部材２１０は、網型蓋部材２２０の結合を案内することと共に、蓋型状の羽根部２０に収納された発光モジュール部３０に電源を供給するケーブルの収納ができるようにコ字の第１ホーム２１１を有し窓２の各角の部位に位置する窓枠１に固定される十字型（＋）の第１の案内部２１２と、該第１の案内部２１２を連結しながら網型の蓋部材２２０の結合を案内することと共に、蓋型状の羽根部２０に収納された発光モジュール部３０に電源を供給するケーブルの収納ができるように前記第１の案内部２１２のコ字の第１のホーム２１１よりも小さい幅のコ字の第２ホーム２１３を有し、第２のブラケット２０５の上に密着して固定される一字型の第２の案内部２１４で構成する。
【００７８】
また、前記第２のブラケット２０５と一字型の第２の案内部２１４とは、その結合がネジ締結や接着剤の中で、どれか一つによって成り立つようするが、必ずしもこのようなものに限定されるものではない。
【００７９】
このように構成された本発明の第３の実施形態は、まず図１６のように建物内の窓２の角部位に位置する窓枠１に、それぞれの窓枠の固定型部材２００に含まれる固定棒２０１を固定しておく。
【００８０】
このとき、該固定棒２０１に図１９のようにネジ締結穴２０６を形成する場合、前記固定棒２０１にはネジ締結穴２０６を有する第１のブラケット２０３を密着させた後、前記ネジ締結穴２０６にネジを締結する。
【００８１】
すると、前記第１のブラケット２０３は、二つの固定棒２０１によりその上下面が硬く固定されるようになる。
【００８２】
ここで、前記固定棒２０１と第１ブラケット２０３とは、掛け方式でその結合が成り立つようにすることもできるが、このために図２０のように前記固定棒２０１には掛け穴２０７を形成し、前記第１のブラケット２０３には掛け突起２０８を形成しておく。
【００８３】
次に、該掛け突起２０８を上方向から下方向に進行させて前記固定奉２０１の掛け穴２０７に掛けることによって、前記第１のブラケット２０３はその固定状態が堅固に維持できるものである。
【００８４】
この場合、前記第１ブラケット２０３には、所定の間隔をおいて多段で配列された第３の羽根支持部２０２が形成されて、前記第２の羽根支持部２０２には、図３のように建物内の採光調節やカラー映像の表現ができるように発光モジュール部３０が収納された蓋型状の羽根部２０を多段で締結させる。
【００８５】
その後、前記蓋型状の羽根部２０が多段で積層された第１のブラケット２０３の各締結部位に第２のブラケット２０５をはめ込み方式で締結する。
【００８６】
すなわち、前記第２のブラケット２０５には、多段の第４の羽根支持部２０４が形成されているので、前記第４の羽根支持部２０４を第１のブラケット２０３の第３の羽根支持部２０２にはめ込む。
【００８７】
そうすると、前記多段で積層された蓋型状の羽根部２０は、第２のブラケット２０５によりその離脱が防止され窓枠１に硬く固定状態を維持することができる。
【００８８】
一方、前記窓枠の固定型部材２００の上には、窓枠１に固定された窓枠の固定型部材２００が外部に露出されないように蓋案の内部材２１０及び網型の蓋部材２２０を結合しておく。
【００８９】
すなわち、前記蓋型状の案内部材２１０は、コ字の第１、２のホーム２１１、２１３を有する十字型と一字型の第１、２の案内部２１２、２１４で構成されており、前記第１の案内部２１２は、窓２の各角部に位置する窓枠１にネジ締結や接着剤等で固定し、前記第２の案内部２１４は、第２のブラケット２０５の上にネジ締結や接着剤等で密着して固定させておく。
【００９０】
この場合、前記第２の案内部２１４に形成されたコ字の第２のホーム２１３は、第１の案内部２１２に形成されたコ字の第１のホーム２１１よりもその幅を小さく設計し、前記第２の案内部２１４の端部が、第１の案内部２１２の第１のホーム２１１に挿入できるようにする。
【００９１】
そうすると、図１６及び図１７のように、窓枠１によって分割設けられるそれぞれの窓２にブラインド型の電光板となる蓋型状の羽根部２０を多段で積層して固定する場合、各窓２の縁面に位置する窓枠の固定型部材２００は蓋案内部材２１０によって外部露出が遮断される。
【００９２】
次に、前記蓋案内部材２１０に含まれた第１、２の案内部２１２、２１４の第１、２のホーム２１１、２１３に電源供給のためのケーブルを収納して網型の蓋部材２２０をはめ込み方式で結合させると、図１７及び図１８のようにＬＥＤ使用のブラインド型表示装置の蓋型状の羽根部２０に対する固定作業が完了する。
【００９３】
そして、窓２に多段で積層された蓋型状の羽根部２０は、窓枠の固定型部材２００によって堅固な固定状態を維持している状態で、各蓋型状の羽根部２０の積層配列による間隔の隙間によって室内の採光が調節される。
【００９４】
そして、前記多段で積層された蓋型状の羽根部２０を用いて外部に停止映像や動映像のような広告情報を見せるためには、発光パターン制御部４０を操作する。
【００９５】
そうすると、前記蓋型状の羽根部２０に収納された発光モジュール部３０は、ケーブルにより供給される電源及び制御信号によって発光が行われ、図１０のような広告の停止映像や動映像を外部から見られるようにディスプレイさせることになる。
【００９６】
本発明は、前述した特定の好ましい実施形態に限定されず、請求範囲で請求する本発明から逸脱しない範囲で、当該発明が属する技術分野で通常の知識を有する者であれば誰でも多様に修正及び変更させることができることは当然であり、その修正及び変更事項は請求範囲の記載の範囲内にある。
【図面の簡単な説明】
【００９７】
【図１】本発明の第１の実施形態に係るＬＥＤを用いた表示装置としてブラインド型電光板の構造を示す全体の斜視図である。
【図２】本発明の第１の実施形態に係る図１のＡ‐Ａ′に沿って取られた断面図である。
【図３】本発明の第１の実施形態に係る蓋型状の羽根部を示す斜視図である。
【図４】本発明の第１の実施形態に係る蓋型状の羽根部を示す側断面図である。
【図５】本発明の第１の実施形態に係る発光モジュール部が蓋型状の羽根部に収納された状態を示す部分切開斜視図である。
【図６】本発明の第１の実施形態に係る図５の正面図である。
【図７】本発明の第１の実施形態に係る発光モジュール部が収納された蓋型状の羽根部の多段連結状態図である。
【図８】本発明の第１の実施形態に係るＬＥＤを用いた表示装置としてブラインド型電光板がオン動作する状態図である。
【図９】本発明の第１の実施形態に係るＬＥＤを用いた表示装置としてブラインド型電光板がオフ動作する状態図である。
【図１０】本発明の第２の実施形態に係るＬＥＤモジュール構造の斜視図である。
【図１１】本発明の第２の実施形態に係るＬＥＤモジュール構造の背面図である。
【図１２】本発明の第２の実施形態に係る複数のＬＥＤピクセル構造が一つの印刷回路基板に結合された状態を示すＬＥＤピクセル構造図である。
【図１３】本発明の第２の実施形態に係る図１２の平面図である。
【図１４】本発明の第２の実施形態に係る図１２の側面図である。
【図１５】本発明の第２の実施形態に係る発光モジュール部が収納された蓋型状の羽根部の側断面図である。
【図１６】本発明の第３の実施形態に係る発光モジュール部が収納された蓋型状の羽根部を窓に固定する構造の分解斜視図である。
【図１７】本発明の第３の実施形態に係る発光モジュール部が収納された蓋型状の羽根部を窓に固定する構造の結合斜視図である。
【図１８】本発明の第３の実施形態に係る発光モジュール部が収納された蓋型状の羽根部を窓に固定する構造の側面図である。
【図１９】本発明の第３の実施形態に係る固定棒と第１のブラケットがネジ締結方式で結合された状態図である。
【図２０】本発明の第３の実施形態に係る固定棒と第１のブラケットが掛け方式で結合された状態図である。
【符号の説明】
【００９８】
１：窓枠
２：窓
１０：フレーム枠
１１：第１の羽根支持部
２０：蓋型状の羽根部
２１：ケース
２２：レール部
２３：拡散窓
３０：発光モジュール部
３１：印刷回路基板
３２：ＬＥＤ
４０：発光パターン制御部
５０：ケーブル
１０１、１０３：第１、２の接続端子部
１０３：パネル部
２００：窓枠固定型の部材
２０１：固定棒
２０２：第３の羽根支持部
２０３：第１のブラケット
２０４：第４の羽根支持部
２０５：第２のブラケット
２０６：ネジ締結穴
２０７：掛け穴
２０８：掛け突起
２１０：蓋案内の部材
２１１、２１３：第１、２のホーム
２１２、２１４：第１、２の案内部
２２０：蓋の部材
【図１】
2006184561.tif 000003
【図２】
2006184561.tif 000004
【図３】
2006184561.tif 000005
【図４】
2006184561.tif 000006
【図５】
2006184561.tif 000007
【図６】
2006184561.tif 000008
【図７】
2006184561.tif 000009
【図８】
2006184561.tif 000010
【図９】
2006184561.tif 000011
【図１０】
2006184561.tif 000012
【図１１】
2006184561.tif 000013
【図１２】
2006184561.tif 000014
【図１３】
2006184561.tif 000015
【図１４】
2006184561.tif 000016
【図１５】
2006184561.tif 000017
【図１６】
2006184561.tif 000018
【図１７】
2006184561.tif 000019
【図１８】
2006184561.tif 000020
【図１９】
2006184561.tif 000021
【図２０】
2006184561.tif 000022